(57)【要約】【課題】  送付物の受取人に送付物に対する興味を与え開封したいという意欲を抱かせることができる販売促進効果を有する送付物を提供すると共にカードの使用者（送付物の受取人）と例えば申込書の申込人とが確実に一致させることができ、機密性、セキュリティ性を備えた送付物を提供することにある。【解決手段】  紙片の一部を切り抜いて形成された第一窓部を備えた上紙片と、裏面に機械読取可能なコードを備えたカードと、紙片の一部を切り抜いて形成された第二窓部を備えた下紙片とが、この順に重ねられ、前記上紙片の前記カードと対向する面または前記下紙片の前記カードと対向する面のいずれかに機械読取可能なコードが設けられており、前記第一窓部より前記カードの表面が視認可能に、かつ、前記第二窓部より内側に前記カードの前記機械読取可能なコードが配置され、前記上紙片と前記下紙片の周縁が相互に接着されてなる送付物である。【選択図】        図１
2014097814.tif 000002
【特許請求の範囲】
【請求項１】
紙片の一部を切り抜いて形成された第一窓部を備えた上紙片と、裏面に機械読取可能なコードを備えたカードと、紙片の一部を切り抜いて形成された第二窓部を備えた下紙片とが、この順に重ねられ、
前記上紙片の前記カードと対向する面または前記下紙片の前記カードと対向する面のいずれかに機械読取可能なコードが設けられており、
前記第一窓部より前記カードの表面が視認可能に、かつ、前記第二窓部より内側に前記カードの前記機械読取可能なコードが配置され、前記上紙片と前記下紙片の周縁が相互に接着されてなる送付物。
【請求項２】
前記送付物が略矩形状であり、一辺が綴じ部とされ、前記第一窓部が前記上紙片の中央より前記綴じ部寄りに形成されており、
前記上紙片の前記綴じ部を除く辺の接着された周縁より内側の位置に周縁に沿って開封用切目線がコの字状に設けられていることを特徴とする請求項１に記載の送付物。
【請求項３】
前記綴じ部の内縁に折り曲げ用ミシン目線が設けられており、
前記上紙片に設けられた前記開封用切目線が、前記綴じ部と対向する側が略くの字状切目からなる開封用切目線であり、他の対向する２辺側がＹ字状切目からなる開封用切目線であり、コの字状に設けられており、前記開封用切目線より前記上紙片をコの字状に開封することにより見開き可能な状態とすることを特徴とする請求項２に記載の送付物。
【発明の詳細な説明】
【技術分野】
【０００１】
本発明は、例えばポイントカードや会員カード等の各種カードをポスティング、ダイレクトメール、手渡し等にて配達や配布するのに好適な送付物に関し、詳しくはカード貼付台紙、チラシ、封筒が一体化され各種カードが封入・封緘された送付物に関するものである。
【背景技術】
【０００２】
近年、顧客の購買意欲を促す広告方法として、封筒の中にチラシとカード、商品見本あるいは優待券等を封入し、ポスティング、ダイレクトメール、手渡し等により商品情報を顧客に届ける方法が盛んに採り入れられている。
【０００３】
例えば、台紙の表面にカードが台紙から剥離可能に貼付されると共に台紙に宛先情報が印字されたカード付き帳票を窓付き封筒に入れて封緘し郵送する方法が知られている（例えば、特許文献１、特許文献２参照）。
【０００４】
また、１枚のシートを３つに折畳んで表紙部と裏紙部と内紙部を連設し、表紙部等の一部周縁には接着剤が塗布され表紙部、内紙部、裏紙部の順になるように折畳まれた状態で接着され、内紙部は開放用ミシン目で開放片と封入物挿入片とに区画され封入物挿入片と裏紙部とにより袋部が形成され、当該袋部にカード等の封入物を挿入した封筒も知られている（例えば、特許文献３参照）。
【０００５】
しかしながら、特許文献１、２に開示された発明は、送り手側にとって、封筒、カードを貼付する台紙、チラシ等を準備する作業や、これらを封筒に封入し封緘する等の煩雑な作業があるという問題がある。また、カードを貼付する台紙、チラシ等が封筒以外に別途必要となるので紙代も嵩み、また、顧客が不要となった場合に捨てる廃棄物も増えるという問題がある。
【０００６】
特許文献３に開示された発明は、１枚のシートで構成されているので、封筒、カードを貼付する台紙、チラシ等を準備する作業や封筒に封入する作業がないので送り手にとっては便利なものとなったが、裏紙部と内紙部でカード等を挿入する袋部を形成するので内紙部が余分に必要となり、紙代が嵩み、また廃棄物も増えるという問題がある。
さらに特許文献１〜３に開示された発明は、封筒を開封して初めて封入されているカード等が見えるものであり、顧客は開封しても内容をよく読まずに破棄したり、あるいは開封することなく廃棄する恐れがある。
また、例えば申込書がついた台紙にカードを貼付して窓付き封筒に封入し窓部よりカードが見えるようにした送付物もあるが、カードは一般的に裏面にバーコードを備えており、申込書とカードを一致させて管理するにはカードの裏面を表にして台紙に貼付されているために窓部より見えるのはカードの裏面であり、販売促進効果の乏しいものである。
【先行技術文献】
【特許文献】
【０００７】
【特許文献１】特開２０１０−２３２９９号公報
【特許文献２】特開２０１０−７６４２０号公報
【特許文献３】特開２０００−１７７２７８号公報
【発明の概要】
【発明が解決しようとする課題】
【０００８】
本発明は、上記の従来の問題点に鑑み、送付物の受取人に送付物に対する興味を与え開封したいという意欲を抱かせることができる販売促進効果を有する送付物を提供すると共にカードの使用者（送付物の受取人）と例えば申込書の申込人とが確実に一致させることができ、機密性、セキュリティ性を備えた送付物を提供することにある。
【課題を解決するための手段】
【０００９】
本発明者は、上記課題に鑑み、鋭意、研究の結果、送付物の上紙片に窓部を設け、窓部よりカードの表面が見えるようにすることにより顧客に送付物に対する興味を与え開封したいという意欲を抱かせることが可能となることを見出し、本願発明に至ったものであり、請求項１記載の本発明は、紙片の一部を切り抜いて形成された第一窓部を備えた上紙片と、裏面に機械読取可能なコードを備えたカードと、紙片の一部を切り抜いて形成された第二窓部を備えた下紙片とが、この順に重ねられ、前記上紙片の前記カードと対向する面または前記下紙片の前記カードと対向する面のいずれかに機械読取可能なコードが設けられており、前記第一窓部より前記カードの表面が視認可能に、かつ、前記第二窓部より内側に前記カードの前記機械読取可能なコードが配置され、前記上紙片と前記下紙片の周縁が相互に接着されてなる送付物である。
【００１０】
また、請求項２に記載の本発明は、請求項１に記載の送付物において、前記送付物が略矩形状であり、一辺が綴じ部とされ、前記第一窓部が前記上紙片の中央より前記綴じ部寄りに形成されており、前記上紙片の前記綴じ部を除く辺の接着された周縁より内側の位置に周縁に沿って開封用切目線がコの字状に設けられていることを特徴とするものである。
【００１１】
また、請求項３に記載の本発明は、請求項２に記載の送付物において、前記綴じ部の内縁に折り曲げ用ミシン目線が設けられており、前記上紙片に設けられた前記開封用切目線が、前記綴じ部と対向する側が略くの字状切目からなる開封用切目線であり、他の対向する２辺側がＹ字状切目からなる開封用切目線であり、コの字状に設けられており、前記開封用切目線より前記上紙片をコの字状に開封することにより見開き可能な状態とすることを特徴とするものである。
【発明の効果】
【００１２】
請求項１に記載の発明によれば、紙片の一部を切り抜いて形成された第一窓部を備えた上紙片と、裏面に機械読取可能なコードを備えたカードと、紙片の一部を切り抜いて形成された第二窓部を備えた下紙片とが、この順に重ねられ、前記第一窓部より前記カードの表面が視認可能に配置された構成としたので、送付物を受取った顧客は送付物を開封することなくカードが封入されていることが一目瞭然となり、顧客の興味を惹くことができ、さらに例えばカード表面に施されたデザインにより顧客の購買意欲をかきたてることができ、優れた販売促進効果が得られるものである。
さらに、前記上紙片の前記カードと対向する面または前記下紙片の前記カードと対向する面のいずれかに機械読取可能なコードが設けられており、かつ、前記第二窓部より内側に前記カードの前記機械読取可能なコードが配置された構成とすることにより、紙片にカードを貼付した状態でそれぞれの機械読取可能なコードをバーコードリーダー等で読み取ることにより、カードと送付物の上紙片または下紙片の相互関係を一致させて管理することが可能となり、例えば下紙片に設けられた申込書で申し込みをした顧客（申込人）とカードを使用した顧客（カード使用者）を確実に一致させることが可能となり優れたセキュリティが確保できる。
また、前記上紙片と前記下紙片の周縁が相互に接着されているので機密性が得られ顧客に安心感を与える。
【００１３】
また、上記構成とすることにより、下紙片をカードを貼付する台紙として使用でき、かつ、貼付したカードを除く余白、下紙片のカードを貼付した面とは反対側の面、および上紙片の下紙片側の面に商品情報等を記載できるので封筒と台紙とチラシを一体化できるので台紙やチラシの封入作業がなくなり工程の簡素化が図れ、紙の使用量も少なくできるので材料面はもちろんのこと、環境面でも廃棄物の減容化が図れる。
【００１４】
また、請求項２に記載の発明は、上記効果に加え、送付物が略矩形状であり、一辺が綴じ部とされ、第一窓部が上紙片の中央より綴じ部寄りに形成されており、上紙片の綴じ部を除く辺の接着された周縁より内側の位置に周縁に沿って開封用切目線がコの字状に設けられている構成とすることにより、綴じ部と対向する開封用切目線より開封しても、第一窓部が綴じ部寄りに形成されているので上紙片が破れることなく開封用切目線に沿って容易に開封することができる。
【００１５】
また、請求項３に記載の発明は、請求項１、２の奏する効果に加え、綴じ部の内縁に折り曲げ用ミシン目線を設けることにより、開封用切目線より開封して上紙片を折り曲げ用ミシン目線で折り曲げることができ、見開き可能な状態にでき、上紙片や下紙片に記載された広告や情報を見やすい。また、カードも下紙片よりはがしやすい。
【００１６】
さらに、上紙片に設けられた開封用切目線が、綴じ部と対向する側が略くの字状切目からなる開封用切目線であり、他の対向する２辺側がＹ字状切目からなる開封用切目線であり、コの字状に設けられており、顧客が綴じ部と対向する側より開封用切目線に沿ってワンアクションで上紙片をコの字状に開封することができる。
【図面の簡単な説明】
【００１７】
【図１】本発明にかかる送付物の第一実施形態を示す正面図である。
【図２】本発明にかかる送付物の第一実施形態を示す背面図である。
【図３】図１におけるＸ−Ｘ線、Ｙ−Ｙ線断面図である。
【図４】本発明にかかる第一実施形態の送付物の開封用切目線から開封した状態を示す平面図である。
【図５】本発明にかかる送付物の第二実施形態を示す正面図である。
【図６】略くの字状切目、およびＹ字状切目の具体例を示す拡大図である。
【発明を実施するための形態】
【００１８】
以下図面を用いて、本発明の実施形態について説明する。図１は本発明にかかる送付物の第一実施形態を示す正面図、図２は本発明にかかる送付物の第一実施形態を示す背面図、図３は図１におけるＸ−Ｘ線、Ｙ−Ｙ線断面図、図４は本発明にかかる第一実施形態の送付物の開封用切目線から開封した状態を示す平面図、図５は本発明にかかる送付物の第二実施形態を示す正面図、図６は略くの字状切目、およびＹ字状切目の具体例を示す拡大図である。
図中の符号Ａ、Ａ’は送付物、１は紙片、２は上紙片、２’は開封片、２ａは第一窓部、２ｉは上紙片の内面、３はカード、３ａは機械読取可能なコード、４は下紙片、４ａは第二窓部、４ｂは機械読取可能なコード、４ｉは下紙片の内面、５は接着部、６は綴じ部、７、７ａ、７ｂ、７ｃは開封用切目線、７’、７ａ’、７ｂ’、７ｃ’は本発明にかかる第二実施形態の開封用切目線、８は折り曲げ用ミシン目線、９は開封開始部、１０は略くの字状切目、１０ａは平行部、１０ｂは斜め部、１０ｃは湾曲部、１０１、１０２は隣接する略くの字状切目、１１はＹ字状切目、１１ａ、１１ｅは直線部、１１ｂは分岐点、１１ｃ、１１ｆは斜線部、１１ｄは屈曲点、１１１、１１２は隣接するＹ字状切目、１２は広告表示部、１３は情報表示部、１４は宛名記載部、１５は差出人記載部、１６は折線部、１７は透明フィルム、Ｄは間隔、ａは上下方向の長さ、ｂは左右方向の長さ、ｃは隣接する略くの字状切目との上下方向の重なり、ｄは左右方向の屈曲長さ、ｅは直線部１１ａの長さ、ｆは斜線部１１ｃの上下方向の長さ、ｇは斜線部１１ｆの上下方向の長さ、ｈは上下方向の屈曲長さ、ｉは斜線部の左右方向の長さ、ｆ’は斜線部１１ｃに相当する斜線部の上下方向の長さ、ｇ’は斜線部１１ｆに相当する斜線部の上下方向の長さをそれぞれ示す。
【００１９】
本発明にかかる送付物の第一実施形態は図１〜図４に示すとおりである。本発明の送付物Ａは、紙片の一部を切り抜いて形成された第一窓部２ａを備えた上紙片２と、裏面に機械読取可能なコード３ａを備えたカード３と、紙片の一部を切り抜いて形成された第二窓部４ａを備えた下紙片４とが、この順に重ねられ、上紙片２と下紙片４の周縁は接着部５で相互に接着された構成である。
【００２０】
図１は本発明にかかる送付物の第一実施形態を示す正面図であり、本発明の送付物Ａは図１に示すように送付物Ａは略矩形状であり、周縁の接着部５の一辺が綴じ部６とされている。上紙片２には第一窓部２ａが上紙片２の中央より綴じ部６（５）寄りに上紙片２を左右方向に二分割した左側領域内に形成されている。第一窓部２ａからはカード３の表面に形成されたデザインが見えている。第一窓部２ａの大きさはカード３と略同じ大きさに設けることが好ましく、カード３の表面に形成されたデザインが第一窓部２ａを透して全体的に見えるので顧客に対して大きな販売促進効果が得られる。
さらに、上紙片２の外面には受取人である宛名記載部１４や、例えば提供する商品や情報等の広告表示部１２等が表示されている。
【００２１】
また、送付物Ａは、上紙片２には周縁の接着部５の内縁に綴じ部６を除く３辺の接着部５より内側の位置に周縁に沿って開封用切目線７（７ａ、７ｂ、７ｃ）がコの字状に設けられ、綴じ部６の内縁に折り曲げ用ミシン目線８が設けられ、これを受取った顧客が、該送付物を例えば、右下隅部の開封用切目線７ａと７ｃとの交点を開封開始部９として開封用切目線７に沿って、上紙片２をコの字状に開封することにより上紙片２の内面２ｉ（図４参照）、下紙片４の内面４ｉ（図４参照）を見開き可能な状態とすることにより上紙片２、下紙片４等に掲載された各種情報（図示せず）を閲覧できるようになっている。なお、本願においてはカード３と対向する側の上紙片２および下紙片４の面を内面と呼称する。また、上紙片２と対面する側のカード３の面を表面、下紙片４と対面する側のカード３の面をカードの裏面と呼称する。
【００２２】
図２は本発明にかかる送付物の第一実施形態を示す背面図であり、本発明の送付物Ａは下紙片４にはカード３と対応する領域に第二窓部４ａが設けられ、第二窓部４ａからはカード３の裏面に備えられた機械読取可能なコード３ａが例えばバーコードリーダー等で読取可能に配置されている。第二窓部４ａの大きさはバーコードリーダーで機械読取可能なコード３ａが読めれば十分であり、機械読取可能なコード３ａの大きさと略同じかやや大きい程度の小窓にするのがセキュリティの面から好ましい。また、下紙片４の外面には広告表示部１２や情報表示部１３や送り手の社名等を記載する差出人記載部１５等が表示されている。
さらに、下紙片４の内面には機械読取可能なコード４ｂ（図４参照）が設けられている。
なお、機械読取可能なコード４ｂ（図４参照）は上紙片２の内面に設けてもよく、上紙片２の内面または下紙片４の内面のいずれかに設ければよい。
カード３の裏面に備えられた機械読取可能なコード３ａと上紙片２の内面または下紙片４の内面のいずれかに設けた機械読取可能なコード４ｂ（図４参照）をバーコードリーダーでそれぞれ読取り記録することによりカード３と例えば申込書の記載された下紙片４とが紐付けされ、申込者とカードの使用者を一致させて管理ができる。
【００２３】
カード３の裏面に備えられた機械読取可能なコード３ａおよび上紙片２の内面または下紙片４の内面のいずれかに設けられる機械読取可能なコード４ｂとしては、ＪＡＮコード等のバーコードやＱＲコード（登録商標）に代表される二次元コード等が用いられる。
【００２４】
次に、図３を用いて本発明の送付物Ａの構造について説明する。図３（イ）は図１のＸ−Ｘ線断面図、図３（ロ）は図１のＹ−Ｙ線断面図であって、送付物Ａは、図３に示すように矩形状の１枚の紙片１の略中央に折線部１６を介して連設された上紙片２と下紙片４を折線部１６で二つ折りされて重ねられており、
上紙片２には紙片１の一部を切り抜いて形成された第一窓部２ａを備え、下紙片４には紙片１の一部を切り抜いて形成された第二窓部４ａを備えている。
そして、表面にデザインが形成され、裏面に機械読取可能なコード３ａを備えたカード３とで上紙片２、カード３、下紙片４とが、この順に重ねられ、第一窓部２ａよりカード３の表面が視認可能に、かつ、第二窓部４ａより内側にカード３の機械読取可能なコード３ａ（図２参照）が配置され、上紙片２と下紙片４の周縁が接着部５で相互に接着されている。
なお、紙片は１枚に限定されるものではなく、上紙片２、下紙片４はそれぞれ別紙片で構成されてもよい。
【００２５】
また、上紙片２の内面側に第一窓部２ａを覆って透明フィルム１７が接着されている。透明フィルムはごみの侵入防止、カード３の汚れ防止の面あるいはセキュリティの確保の面からも設けるほうが好ましいものである。透明フィルム１７としてはポリエチレンテレフタレート（ＰＥＴ）、ポリプロピレン（ＰＰ）等の透明素材が挙げられる。
また、カード３は下紙片４に接着剤（図示せず）を介して剥離可能に接着されている。
【００２６】
図４は本発明にかかる第一実施形態の送付物の開封用切目線から開封した状態を示す平面図である。綴じ部６の内縁に折り曲げ用ミシン目線８が設けられている。折り曲げ用ミシン目線８は必須ではないが折り返すと見開き状態が安定するので好ましいものである。
【００２７】
次に、図１、図４を用いて、本発明の送付物Ａの使用方法について説明する。図１に示すように本発明の送付物Ａを受け取った顧客は、送付物Ａの上紙片２の右下隅部に設けられた開封開始部９を手指で摘み、引っ張り上げることにより、開封用切目線７ａ、７ｃ、７ｂに沿って、上紙片２をコの字状に開封することでき、上紙片２の開封された開封片２’を折り曲げ用ミシン目線８で折り曲げて見開き可能な状態とする。そして、上紙片の内面２ｉおよび下紙片の内面４ｉに掲載された各種情報（図示せず）が閲覧できる。さらに、下紙片４に設けられた機械読取可能なコード４ｂを例えば携帯電話のカメラで読み取ることにより、申込書にアクセスすることができ、電子メール等で申込をする。送り手である会社は予めカード３に備えられた機械読取可能なコード３ａおよび下紙片４に備えられた機械読取可能なコード４ａは一致することが記録されているので申込者とカードの使用者を一致させることが可能となる。顧客はカード３を下紙片４より剥離して例えばポイントカードとして使用することができる。
なお、開封の際、第一窓部２ａが上紙片２の中央より綴じ部６（５）寄りに上紙片２を左右方向に二分割した左側領域内に形成され、右側領域には窓部を形成していないので開封開始部９より開封しても、上紙片２が破れることなく開封用切目線７に沿って容易に開封できる。
【００２８】
図５は本発明にかかる送付物の第二実施形態を示す正面図である。
図中の円内は開封用切目線の切目の部分拡大図である。図５に示すように本発明の送付物の第二実施形態は、上紙片の開封用切目線の構成が第一実施形態と異なり、その他は第一実施形態と同じであり、同じ符号を付し、説明を省略する。図５に示すように第二実施形態の送付物Ａ’は、上紙片２には、綴じ部６と対向する接着部５の内縁に略くの字状切目１０からなる開封用切目線７ａ’と、他の対向する上辺、下辺の２辺に設けられた接着部５の内縁にＹ字状切目１１からなる開封用切目線７ｂ’、７ｃ’とで構成された開封用切目線７’がコの字状に設けられ、綴じ部６側には綴じ部６の内縁に折り曲げ用ミシン目線８が設けられ、右下隅部に開封開始部９が設けられた構成である。略くの字状切目１０の形状は、上紙片２の綴じ部６と対向する側の右辺（端縁）に略平行な平行部１０ａと右辺より下辺の方向に内側に延びる斜め部１０ｂが外側に凸状の湾曲部１０ｃを介して連結され、さらに斜め部１０ｂの尖端部は右辺に略平行に延びた形状である。開封用切目線７ａ’は略くの字状切目１０の斜め部１０ｂの尖端が開封開始部９側となるようにし、隣接する略くの字状切目１０１の斜め部１０ｂの尖端と略くの字状切目１０２の平行部１０ａの尖端の位置が上紙片２の右辺に投影したと想定したときに接するか乃至重なるように配設されている。また、略くの字状切目１０の斜め部１０ｂの尖端部の尖端が上紙片２の右辺の端部に向かって屈曲している形状が、開封したときに斜め部１０ｂの尖端より内側に上紙片２が破れる恐れがないのでより好ましい。
【００２９】
また、Ｙ字状切目１１の形状は、綴じ部６側から送付物Ａの右辺に向かって上辺に略平行に延びる直線部１１ａと、分岐点１１ｂを経由して右辺方向の外側に向かって延びる斜線部１１ｃと、屈曲点１１ｄを経由して送付物Ａの上辺に略平行に延びる直線部１１ｅとが連結されていると共に、分岐点１１ｂより右辺方向の内側に向かって延びる斜線部１１ｃよりも短い長さの斜線部１１ｆが、分岐点１１ｂを介して連結された形状である。さらに、直線部１１ｅの尖端は上紙片２の下辺側に屈曲した屈曲部を有している。開封用切目線７ｂ’、７ｃ’はＹ字状切目１１の斜線部１１ｃ、１１ｆが右辺側となるようにし、隣接するＹ字状切目１１１の直線部１１ｅの尖端とＹ字状切目１１２の直線部１１ａの尖端とが間隔Ｄを隔てて配設されている。間隔Ｄは、０．３ｍｍ以上とすることが好ましく、０．８ｍｍ以上とすることがより好ましい。間隔Ｄが０．３ｍｍ未満となると送付物の製造時にウェブが開封用切目線で切断する恐れがある。また、Ｙ字状切目１１の直線部１１ｅの尖端には屈曲部は設けない構成としてもよいが、屈曲部を設けた方が、開封したときに直線部１１ｅの尖端より外側に上紙片２が破れてしまうという恐れがなく、確実に開封できるのでより好ましい。また、開封用切目線７ａ’と開封用切目線７ｂ’、および開封用切目線７ａ’と開封用切目線７ｃ’との連結部分は略Ｌ字状、Ｕ字状、くの字状、ヘの字状のいずれかの切目を施すのが開封開始後、切取り伝播が開封用切目線７ｂ’、７ｃ’に容易に導入されるので好ましい。第二実施形態は開封用切目線７’の構成を採用することにより、例えばＡ４サイズ、Ｂ４サイズの広い面積の送付物の場合に開封時に上紙片が破れることがないという効果を奏するものである。
【００３０】
図６は、略くの字状切目１０、およびＹ字状切目１１の２〜３の具体例を示す拡大図である。図６（イ）、（ロ）は略くの字状切目１０の例を示し、（イ）に示す形状は、上下方向の長さａが７ｍｍで左右方向の長さｂが１．５ｍｍであり、隣接する略くの字状切目との上下方向の重なりｃが１ｍｍであり、略くの字状切目１０の斜め部１０ｂの尖端部の尖端が上紙片２の右辺に向かって屈曲した左右方向の屈曲長さｄが０．５ｍｍである。図６（ロ）に示す形状は、上下方向の長さａが３．５ｍｍで左右方向の長さｂが１．５ｍｍであり、隣接する略くの字状切目との上下方向の重なりｃが０．５ｍｍであり、上記左右方向の屈曲長さｄが０．３ｍｍであり、略くの字がなだらかな曲線状である。図６（ハ）、（ニ）は、Ｙ字状切目１１の例を示し、図６（ハ）に示す形状は、左右方向の長さｂが２．２ｍｍで上下方向の長さａが２．５ｍｍである。また、直線部１１ａの長さｅが０．８ｍｍであり、斜線部１１ｃと斜線部１１ｃよりも短い長さの斜線部１１ｆの上下方向の長さｆ、ｇが、それぞれ１．５ｍｍ、１．０ｍｍであり、直線部１１ｅの尖端より上紙片２の下辺側に屈曲した屈曲部の上下方向の屈曲長さｈが０．５ｍｍであり、隣接するＹ字状切目の直線部１１ｅの尖端とＹ字状切目の直線部１１ａの尖端とが間隔Ｄが０．８ｍｍである。図６（ニ）に示す形状は、左右方向の長さｂが１．２６ｍｍで上下方向の長さａが２．０ｍｍのＹ字形状である。また、直線部１１ａの長さｅが０．９６ｍｍであり、斜線部の左右方向の長さｉが０．３ｍｍで斜線部１１ｃおよび斜線部１１ｆに相当する斜線部の上下方向の長さｆ’、ｇ’が１．０ｍｍであり、隣接するＹ字状切目との間隔Ｄが０．６４ｍｍである。すなわち、図６（ニ）に示すＹ字状切目の形状は、図６（ハ）のＹ字状切目のような屈曲部や直線部１１ｅを有していない形状である。
開封用切目線７’として右辺側に略くの字状切目１０からなる開封用切目線７ａ’、上辺側および下辺側にＹ字状切目１１からなる開封用切目線７ｂ’、７ｃ’をコの字状に設けることにより、顧客が綴じ部６と対向する右辺側より開封用切目線７’に沿ってワンアクションで上紙片２をコの字状に開封することができる。
【００３１】
本発明にかかる送付物の一製造工程例を示す。
紙片が連続した巻取り状態で紙の両面に広告表示部、情報表示部、差出人記載部等の共通情報を印刷して設ける。また、折り曲げ用ミシン目線は印刷とインラインで所定位置に設ける。次工程で宛名情報や機械読取可能なコード例えばＱＲコード（登録商標）の可変情報をプリントする。その後、紙片の一部を切り抜いて所定位置で第一窓部、第二窓部を設けると共に第一窓部を覆って透明フィルムを接着する。次いで予め表面にデザイン等を印刷し、裏面に機械読取可能なコード例えばＪＡＮコードの可変情報をプリントしたカードを所定位置に剥離可能に接着する。その後、紙片にプリントされたＱＲコード（登録商標）とカードにプリントされたＪＡＮコードをバーコードリーダーで読取り、紙片とカードが一致した情報を記録する。次いで所定位置に開封用切目線をコの字状に設け、１枚の紙片にシートカット（断裁）する。その後、製本工程にてミシン目等の折線を形成し該折線で二つ折りして上紙片、カード、下紙片を順に重ね、周縁を接着することにより完成される。
【符号の説明】
【００３２】
Ａ、Ａ’                                送付物
１                                      紙片
２                                      上紙片
２’                                    開封片
２ａ                                    第一窓部
２ｉ                                    上紙片の内面
３                                      カード
３ａ                                    機械読取可能なコード
４                                      下紙片
４ａ                                    第二窓部
４ｂ                                    機械読取可能なコード
４ｉ                                    下紙片の内面
５                                      接着部
６                                      綴じ部
７、７ａ、７ｂ、７ｃ                    開封用切目線
７’、７ａ’、７ｂ’、７ｃ’            開封用切目線
８                                      折り曲げ用ミシン目線
９                                      開封開始部
１０                                    略くの字状切目
１０ａ                                  平行部
１０ｂ                                  斜め部
１０ｃ                                  湾曲部
１０１、１０２                          隣接する略くの字状切目
１１                                    Ｙ字状切目
１１ａ、１１ｅ                          直線部
１１ｂ                                  分岐点
１１ｃ、１１ｆ                          斜線部
１１ｄ                                    屈曲点
１１１、１１２                          隣接するＹ字状切目
１２                                    広告表示部
１３                                    情報表示部
１４                                    宛名記載部
１５                                    差出人記載部
１６                                    折線部
１７                                    透明フィルム
Ｄ                                      間隔
ａ                                      上下方向の長さ
ｂ                                      左右方向の長さ
ｃ                                      隣接する略くの字状切目との上下方向の重なり
ｄ                                      左右方向の屈曲長さ
ｅ                                      直線部１１ａの長さ
ｆ                                      斜線部１１ｃの上下方向の長さ
ｇ                                      斜線部１１ｆの上下方向の長さ
ｈ                                      上下方向の屈曲長さ
ｉ                                      斜線部の左右方向の長さ
ｆ’                                    斜線部１１ｃに相当する斜線部の上下方向の長さ
ｇ’                                    斜線部１１ｆに相当する斜線部の上下方向の長さ
【図１】
2014097814.tif 000003
【図２】
2014097814.tif 000004
【図３】
2014097814.tif 000005
【図４】
2014097814.tif 000006
【図５】
2014097814.tif 000007
【図６】
2014097814.tif 000008